(57)【要約】      （修正有）【課題】高輝度、低消費電力で且つ使用寿命が長い光源の新規構造を提供する。【解決手段】基材１０上に必要に応じて複数個のＤＤ発光体２０を配列して設置し、これらのＤＤ発光体２０を列でまたは配列してセットにして配列し、基材１０は軟質または硬質材料で製造してよく、実施対象に応じて基材を適当な形態に設計できるようにし、光源と物品との間に最適な照明関係を得られるようにして、全体の視覚的品質を向上し、ＤＤ発光体２０の低発熱、低消費電力、高輝度および長寿命といった特性を利用して、公知ランプの高消費電力、輝度不足および短命といった欠点を大幅に改善し、産業利用価値を増進し、加えて並列配置方式によって、局部の少数ＤＤ発光体２０が破損しても、高輝度特性のために一定の輝度を維持でき、即座に修理できずに困難に陥るにはいたらず、正常な運転を維持できる。【選択図】図４
0003113343.tif 000002
【実用新案登録請求の範囲】
【請求項１】
光源の新規構造であって、特にノートパソコンの液晶ディスプレイ、広告看板、環形ランプなどといった光源の補助によって視覚品質を増進する使用需要のために設計し、より良好な照明効果を得るほか、更に多様な実施変化の可変性を兼ね具え、
複数個の小型ＤＤ（ＤＯＴ  ＤＩＯＤＥ）発光体を使用して基材上に配列して必要とする光源装置を組成し、これらのＤＤ発光体を列でまたは配列してセットにして配列し、ＤＤ発光体の低発熱、低消費電力、高輝度および長寿命といった特性を利用して、より省電力、高輝度の光源装置を提供し、従来の微細型ランプユニットを代替することができるようにして成ることを特徴とする光源の新規構造。
【請求項２】
該ＤＤ発光体は薄片状に製造した発光ダイオードであり、該発光ダイオードは既成規格のハウジング内に嵌設し、発光ダイオードの二極をハウジング底部に露出させて配線および接続できるようにし、ハウジング上面に空洞部を設け、発光ダイオードの光が空洞部から外向きに照射されるようにして成ることを特徴とする請求項１記載の光源の新規構造。
【請求項３】
該基材は硬質材料で製造できるようにして成ることを特徴とする請求項１記載の光源の新規構造。
【請求項４】
該基材は軟質材料で製造できるようにして成ることを特徴とする請求項１記載の光源の新規構造。
【請求項５】
該ＤＤ発光体は異なる色に製造できるようにして成ることを特徴とする請求項１記載の光源の新規構造。
【請求項６】
該ＤＤ発光体は異なる色の単色配列を組み合わせて変化を設けることができるようにして成ることを特徴とする請求項１記載の光源の新規構造。
【請求項７】
該ＤＤ発光体は異なる色を混合して配列して変化を設けることができるようにして成ることを特徴とする請求項１記載の光源の新規構造。
【請求項８】
該ＤＤ発光体はハウジングの一端角に極性表示を設けて、その極性判別に便利であるようにして成ることを特徴とする請求項１記載の光源の新規構造。
【請求項９】
該ＤＤ発光体は数個で一ユニットを構成することができるようにして成ることを特徴とする請求項１記載の光源の新規構造。
【請求項１０】
該ＤＤ発光体は全列点灯または交錯点滅の形態での発光を選択できるようにして成ることを特徴とする請求項１記載の光源の新規構造。
【請求項１１】
該ＤＤ発光体の点滅は制御回路により決定し、主に感光ユニット、制御モジュール、電圧変換器、複数個の三色光制御駆動器および複数個の発光体から構成し、各三色光制御駆動器に一個の発光体を配置し、該制御モジュールによって発光体の灯光の色と点灯するか否かを制御できるようにして、実際の使用上必要な光源形態に応じてその発光体の点滅状態と灯光の色を選択でき、ひいては最適な光線強度が得られ、同時により多くの変化性をもたらすことができるようにして成ることを特徴とする請求項１記載の光源の新規構造。
【考案の詳細な説明】
【技術分野】
【０００１】
本考案は光源の新規構造に関し、特に構造の構成設計により、複数個のＤＤ発光体（ＤＯＴ  ＤＩＯＤＥ；一般用 ＬＥＤ）を使用して基材上に配列して必要とする光源構造を組成し、そのＤＤ発光体の特性によってより良好な照明効果をもたらすほか、更に多様な実施の可変性を具えた光源の新規構造に関する。
【背景技術】
【０００２】
公知のノートパソコンは液晶ディスプレイの光源設計において、図１に示すように主にディスプレイの上下位置に微細型ランプユニットを設置し、これらのランプユニットの上下光線投射を利用して液晶ディスプレイを見るのに必要な光を得ている。
このような微細型ランプユニットは構造設計上、図２に示すように主にディスプレイサイズに合わせた基台を設け、基台内部に概ね平行に三本の細長い微細型ランプを装着し、これらのランプの制御モジュールはノートパソコンの内部回路に接続して、ノートパソコンの内部回路を利用して微細型ランプユニットを発光させるか否か起動制御し、液晶ディスプレイを見るために十分な照明光を提供する。
【０００３】
しかしこのような微細型ランプユニットは、実施上以下の欠点が存在する。
一つは、この種の微細型ランプの起動には比較的大きな電圧を必要とし、それに伴って電力消費問題が生じ、加えてランプの輝度が不十分なためにランプを多く使用しなければならず、ランプ自身が発熱し易いことから放熱の問題が派生し、更にその使用寿命が短くなってしまい、理想的な設計とは言えない。
二つには、この種の微細型ランプはガラス製品であり、その固定した形態と硬度のために適当な撓屈彎曲と形状変化を施すことができず、固定した直線実装しかできないことによって、自ずと産業利用範囲が制限されてしまっている。
その三つは、微細型ランプの体積は比較的大きく、各微細型ランプユニットには少数のランプしか配置できず、その中のランプの一つが破損すれば輝度不足の問題に直面することになり、同時に即修理することができない可能性があり全体の使用機能に重大な影響を与え、理想的な設計ではない。
【０００４】
上述の微細型ランプユニットは、高電圧、高消費電力、短命などの問題が存在し、加えて固定形状のために実施形態が制限されて多様な変化を施すことができず、産業利用価値が向上しない。実用的な光源装置で代替し、産業上面している逆境を突破する必要がある。
【特許文献１】特開２００５−９３１４７号公報
【考案の開示】
【考案が解決しようとする課題】
【０００５】
前述の微細型ランプユニットが産業上面している問題を解決し、高輝度、低消費電力で且つ使用寿命が長い新規光源装置を提供し、微細型ランプユニットの使用に代えることを課題とする。
【０００６】
本考案はまた、異なる形態の配列で構成できる光源装置を提供し、彎曲屈折できる変形機能を与えてもよく、各種物品および産業分野の光源として使用できるようにすることをもう一つの課題とする。
【０００７】
本考案は更に、複数の発光体の組成構造によって、ユニットの一部が破損したときも適当な照明光を提供できる装置とし、すぐに修理できないために困難に陥るのを避けられるようにすることをもう一つの課題とする。
【課題を解決するための手段】
【０００８】
本考案は構造設計上、主に基材上に必要に応じて複数のＤＤ発光体を配列して組成し、これらの発光体は列でまたは配列してセットにして並列設置し、基材は軟質または硬質材料で製造でき、実施対象に応じて基材を適当な形態に設計してよく、光源と物品との間の最適な照明関係を得られるようにし、全体の視覚品質を向上するとともに、これらのＤＤ発光体の低温、低消費電力、高輝度および長使用寿命などの特性によって、公知ランプの高消費電力、輝度不足、短命といった欠点を大幅に改善し、より産業利用価値が増大し、加えて並列設置方式によって、局部の少数ＤＤ発光体が破損した場合でも、高輝度特性で一定の照明輝度を維持することができ、即座に修理できなくて困難に陥るにはいたらず、正常な動作を維持できるようにする。
【０００９】
すなわち、本考案は光源の新規構造であって、特にノートパソコンの液晶ディスプレイ、広告看板、環形ランプなどといった光源の補助によって視覚品質を増進する使用需要のために設計し、より良好な照明効果を得るほか、更に多様な実施変化の可変性を兼ね具え、複数個の小型ＤＤ発光体（ＤＯＴ  ＤＩＯＤＥ；一般用 ＬＥＤ）を使用して基材上に配列して必要とする光源装置を組成し、これらのＤＤ発光体を列でまたは配列してセットにして配列し、ＤＤ発光体の低発熱、低消費電力、高輝度および長寿命といった特性を利用して、より省電力、高輝度の光源装置を提供し、従来の微細型ランプユニットを代替することができることを特徴とする。
【００１０】
該ＤＤ発光体は薄片状に製造した発光ダイオードであり、該発光ダイオードは既成規格のハウジング内に嵌設し、発光ダイオードの二極をハウジング底部に露出させて配線および接続できるようにし、ハウジング上面に空洞部を設け、発光ダイオードの光が空洞部から外向きに照射されることを特徴とする。
該基材は硬質材料で製造できることを特徴とする。
該基材は軟質材料で製造できることを特徴とする。
該ＤＤ発光体は異なる色に製造できることを特徴とする。
該ＤＤ発光体は異なる色の単色配列を組み合わせて変化を設けることができることを特徴とする。
該ＤＤ発光体は異なる色を混合して配列して変化を設けることができることを特徴とする。
該ＤＤ発光体はハウジングの一端角に極性表示を設けて、その極性判別に便利であることを特徴とする。
該ＤＤ発光体は数個で一ユニットを構成することができることを特徴とする。
該ＤＤ発光体は全列点灯または交錯点滅の形態での発光を選択できることを特徴とする。
該ＤＤ発光体の点滅は制御回路により決定し、主に感光ユニット、制御モジュール、電圧変換器、複数個の三色光制御駆動器および複数個の発光体から構成し、各三色光制御駆動器に一個の発光体を配置し、該制御モジュールによって発光体の灯光の色と点灯するか否かを制御できるようにして、実際の使用上必要な光源形態に応じてその発光体の点滅状態と灯光の色を選択でき、ひいては最適な光線強度が得られ、同時により多くの変化性をもたらすことができることを特徴とする。
【考案の効果】
【００１１】
本考案の光源新規構造は、構造の構成設計は複数個のＤＤ発光体を基材上に配列して必要な光源構造を組成し、ＤＤ発光体の特性から、省電力、高輝度、長寿命で、且つより一層良好な照明効果が得られるほか、多様な実施可変性をも具え、全体として優良な産業利用価値と実用性を具えている。
【考案を実施するための最良の形態】
【００１２】
図３〜図６に示すように、本考案の光源構造の好適な実施例では、構造設計上主に適当な材質で製造した基材１０上に複数個のＤＤ発光体２０を配列設置する（数個のＤＤ発光体を組成して一ユニットとすることもできる）。これらＤＤ発光体２０は薄片状に製造した発光ダイオード２１であり、この発光ダイオード２１を既成規格のハウジング２２内に嵌設し、発光ダイオード２１の二極端子がハウジング２２底部に露出するようにして、組立て・配線できるようにする。ハウジング２２上面に空洞部２３を設け、発光ダイオード２１の光が空洞部２３から外向きに投射されるようにする。またハウジング２２の一端角に極性表示２４を設けてその極性の判別に便利にする。前述の基材１０は軟質または硬質材料で製造でき、実施対象に応じて適当な形態に設計してよく、光源と物品との間の最適な照明関係が得られるようにする。ＤＤ発光体２０は列でまたは配列してセットにして並列設置し、電源装置または制御回路と接続し、本考案の光源新規構造を完成する。
【００１３】
この光源装置は複数個のＤＤ発光体２０を配列して組成し、基材１０の形態に応じて任意に配列構成および変換をすることができるから、軟質あるいは硬質基材１０であっても良好な実施が得られ、公知微細型ランプの固定形状の制限が突破される。加えてこの種のＤＤ発光体２０は体積が小さく、消費電力が低く、運転温度が低く輝度が高いといった特性をもち、実施上わずかにＤＣ直流電源で全体の光源に必要な電圧を供給できる。また同時に高温と耐熱の問題が発生しないため、使用寿命が適当に延長される。少数のＤＤ発光体２０が破損した場合には、並列配置形態だから全ＤＤ発光体２０が失効することはなく、もともと輝度が一般の微細型ランプの１０倍であるため、引き続き十分な照明光を提供でき物品の視覚効果には影響せず、即座に修理ができなくて困るには至らない。またこの種のＤＤ発光体２０は異なる色で製造することができ、産業利用上、異なる色の単色配列形態のほか、多色を混合して配列して各種光源形態とすることもでき、物品に視覚上の適当な照明を与えるほか、美術光源としての効果も兼ね備える。
【００１４】
上述の説明で、３列のＤＤ発光体２０と公知の微細型ランプユニットとを比較すると、本考案の光源装置のＤＤ発光体２０各列は概ね３．６Ｖの電圧のみでよく、電流約１Ａ、消費電力約６Ｗ、公知微細型ランプは電圧６４５Ｖ、電流約６−８ｍＡ、消費電力は１５Ｗであり、本考案の光源装置の消費電力は公知微細型ランプユニットの２／５倍にしかならないが、全体の輝度は公知微細型ランプの１０倍に達し、且つ高温放熱の問題が派生せず、使用寿命が延長され、産業利用の実用経済価値により適合する。
【００１５】
図７から図１５に示すように、以上の説明で述べた本考案の光源装置は複数個のＤＤ発光体２０を列または配列してセットにし、公知の微細型ランプに取って代え、更にこれらのＤＤ発光体２０自身の輝度が公知微細型ランプより高いため、実施上は実際の光源強度の必要に応じて、全列点灯または交錯点滅の形態を選択して発光して、一方で照明光輝度を調節でき、また一方で不必要なエネルギー浪費を減少するとともに使用寿命を延長する。図７から図９は、三列の光源形態の選択可能実施形態を示し、図１０から図１２は、二列の光源形態での選択可能実施形態を、図１３から図１５では単列光源形態での選択可能実施形態を示す。その実施形態の機能は、制御回路により決定し、図１６に示すように、主に感光ユニット１、制御モジュール２、電圧変換器３、複数個の三色光制御駆動器４および複数個の発光体５で構成し、各三色光制御駆動器４に一個の発光体５を配置する。制御モジュール２が発光体５の灯光の色と点灯するか否かを制御し、実際の使用上必要な光源形態に応じてその発光体の点滅状態と灯光の色を選択し、最適な光源強度を得ると同時に、多様な変化性を与え、公知光源の使用上の制限を効果的に突破できる。
【００１６】
また、図１７に示す実施例では、前述のように本考案の光源装置は複数個のＤＤ発光体２０を配列して構成し、軟質または硬質の基材を適用することができ、ノートパソコンの液晶ディスプレイに運用する場合、ディスプレイ寸法に合わせた硬質基台上に固定設置し、これをディスプレイの上下位置に装着すると、公知微細型ランプユニットに代えて液晶ディスプレイに必要な十分な照明光を提供することができる。
【００１７】
図１８に示すように、広告看板の光源に運用する場合は、軟質基材を採用してＤＤ発光体２０の配列セットとしてよく、看板の形式に応じて適当な彎曲や適当な形状に製造できるようにする。必要に応じてＤＤ発光体２０の色を変更してよく、より目立つ広告照明や絢爛な視覚効果を与える。
【００１８】
また、図１９に示すように、環形灯管に運用してもよく、適当な形状の軟質基材を利用してＤＤ発光体２０を配列セットし、必要に応じて異なる色に変換する。
このように、本考案は複数個のＤＤ発光体２０を配列組成して光源装置とする特殊構造によって、実施の形態は制限を受けず多様な変化を与えることができ、走馬灯や一般照明器具まで、これを基礎に任意に変化させることができ、公知の微細型ランプと比較するとより実用価値と産業利用性に富んでいる。
【図面の簡単な説明】
【００１９】
【図１】公知ノートパソコン液晶ディスプレイの光源装置略図である。
【図２】公知微細型ランプユニットの構造略図である。
【図３】本考案の光源装置の構造略図である。
【図４】本考案のＤＤ発行体の構造略図（一）である。
【図５】本考案のＤＤ発光体の構造略図（二）である。
【図６】本考案のＤＤ発光体の構造略図（三）である。
【図７】本考案の三列光源形態の選択可能実施形態（一）である。
【図８】本考案の三列光源形態の選択可能実施形態（二）である。
【図９】本考案の三列光源形態の選択可能実施形態（三）である。
【図１０】本考案の二列光源形態の選択可能実施形態（一）である。
【図１１】本考案の二列光源形態の選択可能実施形態（二）である。
【図１２】本考案の２列光源形態の選択可能実施形態（三）である。
【図１３】本考案の単列光源形態の選択可能実施形態（一）である。
【図１４】本考案の単列光源形態の選択可能実施形態（二）である。
【図１５】本考案の単列光源形態の選択可能実施形態（三）である。
【図１６】本考案の電源装置制御回路の回路略図である。
【図１７】本考案をノートパソコン液晶ディスプレイに実施した好適な実施参考図である。
【図１８】本考案を広告看板に実施した好適な実施参考図である。
【図１９】本考案を環形灯管に実施した好適な実施参考図である。
【符号の説明】
【００２０】
１ 感光ユニット
２ 制御モジュール
３ 電圧変換器
４ 三色光制御駆動器
５ 発光体
１０ 基材
２０ ＤＤ発光体
２１ 発光ダイオード
２２ ハウジング
２３ 空洞部
２４ 極性表示
【図１】
0003113343.tif 000003
【図２】
0003113343.tif 000004
【図３】
0003113343.tif 000005
【図４】
0003113343.tif 000006
【図５】
0003113343.tif 000007
【図６】
0003113343.tif 000008
【図７】
0003113343.tif 000009
【図８】
0003113343.tif 000010
【図９】
0003113343.tif 000011
【図１０】
0003113343.tif 000012
【図１１】
0003113343.tif 000013
【図１２】
0003113343.tif 000014
【図１３】
0003113343.tif 000015
【図１４】
0003113343.tif 000016
【図１５】
0003113343.tif 000017
【図１６】
0003113343.tif 000018
【図１７】
0003113343.tif 000019
【図１８】
0003113343.tif 000020
【図１９】
0003113343.tif 000021
【手続補正書】
【提出日】平成17年5月2日(2005.5.2)
【手続補正１】
【補正対象書類名】実用新案登録請求の範囲
【補正対象項目名】全文
【補正方法】変更
【補正の内容】
【実用新案登録請求の範囲】
【請求項１】
光源の構造であって、特にノートパソコンの液晶ディスプレイ、広告看板、環形ランプなどといった光源の補助によって視覚品質を増進する使用需要のために設計し、より良好な照明効果を得るほか、更に多様な実施変化の可変性を兼ね具え、  複数個の小型ＤＤ発光体（ＤＯＴ  ＤＩＯＤＥ；一般用 ＬＥＤ）を使用して基材上に配列して必要とする光源装置を組成し、これらのＤＤ発光体を列でまたは配列してセットにして配列し、ＤＤ発光体の低発熱、低消費電力、高輝度および長寿命といった特性を利用して、より省電力、高輝度の光源装置を提供し、微細型ランプユニットを代替することができるようにして成ることを特徴とする光源の構造。
【請求項２】
該ＤＤ発光体は薄片状に製造した発光ダイオードであり、該発光ダイオードは既成規格のハウジング内に嵌設し、発光ダイオードの二極をハウジング底部に露出させて配線および接続できるようにし、ハウジング上面に空洞部を設け、発光ダイオードの光が空洞部から外向きに照射されるようにして成ることを特徴とする請求項１記載の光源の構造。
【請求項３】
該基材は硬質材料で製造できるようにして成ることを特徴とする請求項１記載の光源の構造。
【請求項４】
該基材は軟質材料で製造できるようにして成ることを特徴とする請求項１記載の光源の構造。
【請求項５】
該ＤＤ発光体は異なる色に製造できるようにして成ることを特徴とする請求項１記載の光源の構造。
【請求項６】
該ＤＤ発光体は異なる色の単色配列を組み合わせて変化を設けることができるようにして成ることを特徴とする請求項１記載の光源の構造。
【請求項７】
該ＤＤ発光体は異なる色を混合して配列して変化を設けることができるようにして成ることを特徴とする請求項１記載の光源の構造。
【請求項８】
該ＤＤ発光体はハウジングの一端角に極性表示を設けて、その極性判別に便利であるようにして成ることを特徴とする請求項１記載の光源の構造。
【請求項９】
該ＤＤ発光体は数個で一ユニットを構成することができるようにして成ることを特徴とする請求項１記載の光源の構造。
【請求項１０】
該ＤＤ発光体は全列点灯または交錯点滅の形態での発光を選択できるようにして成ることを特長とする請求項１記載の光源の構造。
【請求項１１】
該ＤＤ発光体の点滅は制御回路により決定し、主に感光ユニット、制御モジュール、電圧変換器、複数個の三色光制御駆動器および複数個の発光体から構成し、各三色光制御駆動器に一個の発光体を配置し、該制御モジュールによって発光体の灯光の色と点灯するか否かを制御できるようにして、実際の使用上必要な光源形態に応じてその発光体の点滅状態と灯光の色を選択でき、ひいては最適な光線強度が得られ、同時により多くの変化性をもたらすことができるようにして成ることを特徴とする請求項１記載の光源の構造。